(57)【特許請求の範囲】
【請求項１】
義足足部であって、該義足足部を下腿チューブ、下腿シャフトまたは人工膝関節に取り付けるための近位の取付手段（２）を有する構造部材(１０)と、該構造部材(１０)に取り付けられたか、形成された前足部分(２０)と、前記構造部材（１０）に割り当てられておりかつ踵側にあるばね・ダンパ・システム（４０）とを具備し、該ばね・ダンパ・システムは、踵の接地の際に圧縮され、かつソール側の案内要素（３０）に支持されてなる義足足部において、
前記構造部材（１０）は、近位の接続部分(２)から後方向に延びており、湾曲部を形成し、前方および遠位方向に延びており、前記湾曲部は、後方で、案内要素（３０）を越え、
前記湾曲部は、前後方向で、足長ＦＬの１０％と３０％の間である区間だけ、前記ばね・ダンパ・システム（４０）を越えていることを特徴とする義足足部。
【請求項２】
前記湾曲部は、自然の踝の位置を越えて後方方向に突き出ていることを特徴とする請求項１に記載の義足足部。
【請求項３】
前記案内要素（３０）は、前記ばね・ダンパ・システム（４０）の下面に設けられており、前記前足部分(２０)における板ばねとして、前記構造部材（１０）に堅固に、あるいは、前記義足足部の長手方向に対し横方向に向いている軸（５０）を中心として自由に移動可能に前記構造部材（１０）に取り付けられていることを特徴とする請求項１または２に記載の義足足部。
【請求項４】
前記案内要素（３０）は、板ばねとして形成されていることを特徴とする請求項３に記載の義足足部。
【請求項５】
前記ばね・ダンパ・システム（４０）は、発泡体要素またはエラストマ要素として形成されていることを特徴とする請求項１ないし４のいずれか１項に記載の義足足部。
【請求項６】
前記ばね・ダンパ・システム（４０）は、前記構造部材（１０）と、前記案内要素(３０)の上面との間に可逆的に設けられていることを特徴とする請求項５に記載の義足足部。
【請求項７】
前記案内要素(３０)の下面には、弾性材料からなるソール要素（６０）が設けられていることを特徴とする請求項１ないし６のいずれか１項に記載の義足足部。
【請求項８】
前記前足部分(２０)は、板ばねとして形成されており、あるいは、少なくとも１つの板ばねを有することを特徴とする請求項１ないし７のいずれか１項に記載の義足足部。
【請求項９】
前記案内要素(３０)と前記構造部材（１０）との間には、過負荷ストッパ（７０）が設けられていることを特徴とする請求項１ないし８のいずれか１項に記載の義足足部。
【請求項１０】
前記案内要素(３０)は、前後方向に延びている軸を中心としておよび／または近位遠位方向に延びている軸を中心として移動不能に取り付けられていることを特徴とする請求項１ないし９のいずれか１項に記載の義足足部。
【請求項１１】
前記案内要素(３０)の自由端には、踵（３５）が近位方向に設けられており、あるいは凸状の湾曲部として形成されていることを特徴とする請求項１ないし１０のいずれか１項に記載の義足足部。
【請求項１２】
前記構造部材（１０）は、弾性的におよび一体的に形成されていることを特徴とする請求項１ないし１１のいずれか１項に記載の義足足部。
【請求項１３】
前記案内要素(３０)の後端および前記構造部材（１０）の下面には、前記ばね・ダンパ・システム（４０）を取り付けるための各々の形状結合要素（５，６）が取り付けられていることを特徴とする請求項１ないし１２のいずれか１項に記載の義足足部。
【請求項１４】
前記構造部材（１０）の上面では、前記前足部分(２０)に、輪郭部を形成するパッド（９０）が設けられていることを特徴とする請求項１ないし１３のいずれか１項に記載の義足足部。
【請求項１５】
前記近位の取付手段（２）から、前記構造部材（１０）が前記湾曲部において凹状に湾曲されており、前記ばね・ダンパ・システムの支持の領域で、前記湾曲部と比較してより大きな曲率半径を有する凸状の湾曲部と、該湾曲部に続いて、前記前足部分（２０）において、同様に凹状の湾曲部とを有することを特徴とする請求項１ないし１４のいずれか１項に記載の義足足部。
【請求項１６】
前記案内要素(３０)は、踵からつま先まで凹状、凸状、凹状に延びている形状を有する板ばねとして形成されていることを特徴とする請求項１ないし１５のいずれか１項に記載の義足足部。
【請求項１７】
前記前足部分(２０)および前記案内要素(３０)は、整列装置（４）を介して、互いに関連して設けられていることを特徴とする請求項１ないし１６のいずれか１項に記載の義足足部。
【請求項１８】
前記前足部分(２０)と、前記案内要素(３０)と、前記整列装置（４）とは、互いに貼着されていることを特徴とする請求項１７に記載の義足足部。
【請求項１９】
前記義足足部は、靴の中に設けるために形成されていることを特徴とする請求項１ないし１８のいずれか１項に記載の義足足部。
【請求項２０】
前記案内要素(３０)は、フィルムヒンジを有することを特徴とする請求項１ないし１９のいずれか１項に記載の義足足部。
【発明の詳細な説明】
【技術分野】
【０００１】
本発明は、義足足部であって、該義足足部を下腿チューブ、下腿シャフトまたは人工膝関節に取り付けるための近位の取付手段を有する構造部材と、該構造部材に取り付けられたか、形成された前足部分と、構造部材に割り当てられておりかつ踵側にあるばね・ダンパ・システムとを具備し、該ばね・ダンパ・システムは、踵の接地の際に圧縮され、かつソール側の案内要素に支持されていてなる義足足部に関する。義足足部は、靴の中に設けるために適しており、かつこの目的のために形成されている。
【背景技術】
【０００２】
義足足部を、補装具装置の遠位の端部として用い、かつ、人工膝関節に取り付けられている下腿チューブに、直接に補装具シャフトに、または人工膝関節に取り付けることができる。この目的のために、義足足部には、通常、近位端部に取付手段が設けられている。その目的は、近位の補装具コンポーネントに安定的かつ永続的な取付を形成するためである。通常は、義足足部に、装飾部材を有する。該装飾部材は、プラスチックからなり、かつ自然の足の形状に近く形成されている。
【０００３】
義足足部の構造的に簡単な形態は、剛性の足である。しかしながら、該足は、弾性特性またはローリング特性に関し、重大な欠点を有する。
【０００４】
踵接地の際の衝撃を緩和するために、緩和要素または踵ばねがあってもよい。同様に、前足領域に設けることも可能である。その目的は、全立脚相に亘って足のローリングを容易化し、更に、立脚終期で、予め吸収された変形エネルギを再度放出し、このことによって、補装具のユーザを歩行中に支援するためである。
【０００５】
特許文献１は、前足領域で互いに結合されている２つの板ばね要素を有する義足足部に関する。板ばねには、エキセントリックが設けられており、該エキセントリックは引張りばねを押圧する。エキセントリックの取付によって、引張りばねを緊張または弛緩させることができる。それ故に、ローリング運動の最中に、特定の力プロファイルを実現することができる。
【０００６】
特許文献２は、下腿チューブのための関節式の収容部を有する義足足部に関する。関節式の収容部は、自然の踝関節の領域に設けられている。義足足部のばね特性は、ローリング運動の過程に亘って変化することがある。
【０００７】
特許文献３は、中心軸を中心として回動自在に関節式に互いに結合されている踵プレートおよびつま先プレートを有する義足軸受に関する。ばねは、踵プレートとつま先プレートの間に設けられており、かつ、つま先プレートの後方の延長部で支持される。アダプタプレートも同様に中心軸を中心として回動自在に設けられている。センサ装置によって、歩行中に生じるエネルギを能動的に蓄積し、かつ放出する。
【０００８】
特許文献４は、波形に曲がった前足ばねと、中足部に取り付けられており、後方に延びており、かつ装飾用足部に設けられている踵ばねと、を有する義足足部に関する。前足ばねおよび踵ばねは、フレームの中で支持されている。変形例は、踵ばねが、ベーススプリングを介して、前足ばねと結合されており、該ベーススプリングは、一方では、踵ばねの後端に取り付けられ、他方では、中足部領域で前足ばねに取り付けられている。
【０００９】
特許文献５は、一体的なばねを有する義足足部に関し、該ばねは、下方のベース部と、弓状に上方へ上がる上部とを有する。ベース部および上部は、前足領域に、縦方向スリットを有する。踵領域では、エラストマ材料からなるダンパが設けられている。
【００１０】
特許文献６は、平坦なベーススプリングと、弓状の前足ばね(そこには取付アダプタが取り付けられている)と、踵領域で板ばねを前足ばねに対し支えているダンパ要素とを有する義足足部に関する。
【００１１】
チャス・エー・ブラッチフォード・アンド・サンズ・リミテッドは、「エンドライト・ブレードＸＴ」の名称で、前足用ばねを有しかつ幅跳び選手およびランナー用の義足足部を販売する。前足用ばねは、実質的に水平の頭部部分と、外側に凸状に成形された一体式のばねとを有する。該ばねは、下部領域で、スロットによって２分割されている。ばねの前方領域には、ソール保護手段および踵ばねが、２つのねじを介して取り付けられている。くさび形部材によって踵ばねのばね硬度を調整することができる。踵ウェッジの使用は、結果として、踵ばねが、余り可撓性を持っては反応しないことを伴う。
【先行技術文献】
【特許文献】
【００１２】
【特許文献１】US 7,172,630 B2
【特許文献２】US 5,139,525 A
【特許文献３】US 2007/0061016 A1
【特許文献４】US 6,719,807 B2
【特許文献５】US 2012/0046760 A1
【特許文献６】US 2014/0046456 A1
【発明の概要】
【００１３】
本発明の課題は、補装具ユーザのための歩行を容易化し、かつ、特にスポーツ活動において、有利に使用可能である義足足部を提供することである。
【００１４】
本発明に基づき、上記課題は、主請求項の特徴を有する義足足部によって解決される。本発明の有利な実施の形態は、従属請求項、明細書および図面に開示されている。
【００１５】
義足足部であって、該義足足部を下腿チューブ、下腿シャフトまたは人工膝関節に取り付けるための近位の取付手段を有する構造部材と、該構造部材に取り付けられたか、形成された前足部分と、構造部材に割り当てられておりかつ踵側にあるばね・ダンパ・システムとを具備し、該ばね・ダンパ・システムは、踵の接地の際に圧縮され、かつソール側の案内要素に支持されていてなる、本発明に係わる義足足部は、構造部材が、近位の接続部分から後方向に延びており、湾曲部を形成し、前方および遠位方向に延びており、湾曲部は、後方で、案内要素を越えていることを意図する。案内要素を介して支持構造体と結合されている、踵側のばね・ダンパ・システムによって、踵への負荷の際には、ばね・ダンパ・システムと、該ばね・ダンパ・システムに割り当てられた案内要素との移動運動の案内を可能にすることができる。このことによって、回内運動および回外運動を、立脚の際に、少なくとも減少する。このことによって、義足足部の正確な案内を歩行中に実現することができる。更に、踵から前足へのローリングの際には、ばね・ダンパ・システムに蓄積されたエネルギの、構造部材への伝達が生じるのは、ばね・ダンパ・システムが弛緩され、エネルギを放出し、このことによって、構造部材の変形の遅れを引き起こすことによって、である。構造部材の、板ばねとしての実施の形態によって、歩行中に、特に走る際に吸収されるエネルギを蓄積し、かつ、長い変形距離を用意することが可能である。このことにより、大きなエネルギ蓄積力を、立脚相中に用意することができる。後方へと案内要素を越えて出ている湾曲部によって。有効なばね長の有意な延長が生じる。それ故に、板ばねの形態の構造部材の高い程度の変形および変形可能性が与えられている。更に、湾曲部は、長い有効なばね長にも拘わらず、義足足部の少ない高さを達成することを可能にし、同時に、後方へ突き出ることによって、自然の踝関節の領域で、靴の中での着用性を保証する。
【００１６】
構造部材の湾曲部は、自然の踝の位置を越えて後方方向に突き出ており、かつ、ほぼ、自然の踝の位置に、あるいはその位置を幾らか越えて設けられている。それ故に、湾曲部の頂点は、案内要素の後方端部に位置している。案内要素が、ばね・ダンパ・システムの下面に設けられており、かつ、板ばねとして、構造部材の前足部分にしっかり取り付けられていることは有利である。この場合、案内要素が、前足部分を有する構造部材の板ばねよりも薄く形成されており、必要な場合には、板ばねとして構造部材に一体的に成形されているのもよいことは有利である。その目的は、踵接地の際に、前足部分の予応力をできる限り減少させるためである。案内部材を薄く構成することによって、踵接地の際のより大きな変形可能性を保証する。それ故に、前足部分へのわずかな力成分およびエネルギ入力のみが、前足部分に導入される。案内要素を、義足足部の長手方向に対し横方向に向いている軸を中心として自由に移動可能に、またはほぼ自由に移動可能に支持構造体に取り付けるころができるのは、例えば、一種のヒンジが案内要素に形成されていることによって、である。この場合、軸は、レール要素を意味するのでなく、複数のコンポーネント°が互いに回動する軸となる仮想の線を意味する。軸は、例えば、２つのコンポーネントを互いに結合するフィルムヒンジ、エラストマ要素、あるいは多極軸受が設けられているときにも、存在する。旋回軸を形成するために、案内要素は、フィルムヒンジを有することができる。該フィルムヒンジは、一方では、水平軸を中心としたフラップ状の回動を可能にし、他方では、足縦軸および足の垂直軸を中心としたねじれを防止または低減する。
【００１７】
案内要素の取付を、構造部材に直に行なうことができる。それ故に、案内要素または案内要素の複数の部分を、自由に移動可能またはほぼ自由に移動可能にする軸は、保護構造体に直に取り付けられており、あるいは、案内要素によって形成される。
【００１８】
案内要素の、板ばねとしての実施の形態のほかに、案内要素が、タブ状またはフラップ状に形成されていてもよい。このことによって、前足部分への力の導入が更に低減される。
【００１９】
ばね・ダンパ・システムが、発泡体要素またはエラストマ要素として形成されていることは有利である。このことによって、安価な材料で、各々異なったばね・ダンパ特性を有する多数の形態を提供することが可能である。それ故に、義足足部を、補装具ユーザの要望または必要性に容易に適合させることができる。実際また、踵の異なる高さを容易に実現することも可能である。複合材料によって、所望のばね特性および減衰特性を安価に調整することができる。ばね・ダンパ・システムの、発泡体要素またはエラストマ要素としての実施の形態によって、わずかな剪断力しか発生しないし、または全然発生しないことが可能である。それ故に、案内要素へ引張り力または押圧力は導入されない。ばね・ダンパ・システムは、自然の踝の領域で、構成部材の下面で、有利には、湾曲が始まる領域で、支持される。それ故に、湾曲部から前足部分への移行部での支持の際に、支持がなされる。このことによって、更に、前足部分への踵の接地の際に、エネルギ入力が生じることを阻止する。
【００２０】
ばね・ダンパ・システムは、支持構造体の下面と、案内要素の上面との間に、例えば、構造部材の下面に取り付けられ、好ましくは貼着されたホルダによって、可逆的に設けられていてもよい。該ホルダへは、発泡体要素またはエラストマ要素からなるばね・ダンパ・システムを、形状結合で、挿入することができる。案内要素の上面には、同様に、形状結合要素が設けられていてもよい。それ故に、ばね・ダンパ・システムの簡単な挿入または係合によって、ばね・ダンパ・システムは、所望の剛性への適合、またはメンテナンスの際の交換を行なうことができる。
【００２１】
案内要素は、タブまたはフラップとして形成されており、かつ、金属、特に軽金属、またはプラスチックから形成されていてもよいことは有利である。タブまたはフラップの形態の案内要素が、取り付けられている旋回軸は、この場合、支持構造体に位置している。それ故に、案内要素のための比較的大きな長さを実現することができる。このことによって、ばね・ダンパ・システムを容易に調整することができる。
【００２２】
案内要素の下面には、弾性材料からなるソール要素が設けられている。該ソール要素は、その幾何学的な寸法および強度特性によって、追加のばねおよびダンパを用意するので、支持構造体と案内要素との間のばね・ダンパ・システムは、只１つの弾性要素ではない。ソール要素の固有弾性によって、急激な負荷吸収およびばね・ダンパ・システムへの負荷伝達を回避しかつ減衰することができる。
【００２３】
案内要素の下面には、弾性材料からなるソール要素が設けられていてもよい。該ソール要素は、その幾何学的な寸法および強度特性によって、以下のように、すなわち、ＣＯＰ（圧力の中心）または力作用点が、ローリングの最中に、できる限り長く踵領域にとどまる。その目的は、前足ばねの早すぎる負荷または変形を回避するためである。
【００２４】
前足部分は、構造部材にしっかり取り付けられていてもよく、板ばねとして形成されていることは有利であり、あるいは前足部分は、少なくとも１つの板ばねまたは板ばね要素を有する。支持構造体にしっかり結合することによって、前足部分の正確な案内を達成することが可能である。このことによって、歩行中の義足足部の制御が容易になる。前足部分の、ばねとしての実施の形態は、歩行中にエネルギを吸収することを可能にする。更に、踵接地後に、かつ前足部分が接地した後に、ばね・ダンパ・システムによって蓄積されたエネルギを前足に伝達することが可能である。義足足部の全高は一定のままである。それ故に、地面(床)およびソール構造体を介する力の導入が生じる。ばね・ダンパ・システムに蓄積されたエネルギは、次に、前足部分を介して放出され、かつ、立脚期の終わりに、ユーザによる押し引き離し（Abdruecken）を容易化する。
【００２５】
案内要素と、支持構造体との間には、過負荷ストッパが設けられていてもよい。その目的は、大量のエネルギ入力の際に、ばね・ダンパ・システムが極短に圧縮され、このことにより、歩行中に不安定性が生じることを阻止するためである。
【００２６】
案内要素は、前後方向に延びている軸を中心としておよび／または近位遠位方向に延びている軸を中心として移動不能に取り付けられていてもよい。それ故に、案内要素の回避運動が不可能であり、特に、案内要素の回外および回内が、立脚後に、阻止される。前後方向に延びている軸を中心とした堅固なマウント（Lagerung）は、歩行中に義足足部の踵が、側方で外側に曲がることを阻止する。このことは、特に、スポーツ用足部として使用の際には有利である。
【００２７】
案内要素の自由端には、踵は、近位方向で、凹状の湾曲として形成されとしてもよい。その目的は、軽やかなローリングと、患者の例えば体重または歩き方への、ソール構造体の適合とを可能にするためである。
【００２８】
構造部材自体は、弾性的に形成され、特に一体的に形成されていてもよい。それ故に、近位の取付手段から構造部材の前端まで、特に義足足部の前端まで延びる連続的な板ばねが生じる。
【００２９】
案内要素の後端および構造部材の下面には、ばね・ダンパ・システムを取り付けるための各々の形状結合要素が取り付けられていてもよい。特に、形状結合要素は、貼着されている。案内要素に設けられた形状結合要素は、踵キャップとして、かつ義足足部の後方の下方の端部として形成されていてもよく、同時に、踵領域における減衰またはパッドおよびプロファイルを提供することができる。但し、義足足部が靴の中で着用されないほうがよい場合に限る。それ故に、靴の着用前に、滑りの危険性が減じられる。構造部材の下面に形状結合で固定するための上方の形状結合要素も、構造部材に取り付け、またはしっかり螺着されていてもよい。このことによって、簡単な取付と、一体的に形成されていてもよく、かつ異なった材料からなることができるばね・ダンパ・システムの取付を行なうことができる。
【００３０】
構造部材の、後方へと案内要素を越えて延びる湾曲部は、前後方向で、足長の１０％と３０％の間、特に好ましくは１２．５％と２５％の間である区間だけ、ばね・ダンパ・システムを越えている。この場合、足長は、安内要素の前端から後端へ、必要な場合には、安内要素に設けられた形状結合要素の後端まで測定されるところの、義足足部の長さである。
【００３１】
構造部材の上面では、前足部分に、輪郭部を形成するパッドが設けられていてもよい。該パッドによって、義足足部が挿入される相手である靴を、形を形成するように満たすことが可能である。従って、義足足部の周りに他の装飾部材を付ける必要はない。むしろ、本発明に係わる義足足部を、靴に直に着用することができる。
【００３２】
本発明の実施の形態では、義足足部に、義足足部を靴なしでも着用することができるように、義足足部にソールが取り付けられていることも、意図される。
【００３３】
近位の取付手段から、構造部材が湾曲部において凹状に湾曲されており、ばね・ダンパ・システムの支持の領域で、有利にも湾曲部と比較してより大きな曲率半径を有する凸状の湾曲部がある。凸状の湾曲部には、前足部分において、同様に、凹状の湾曲部が続く。上方から構造部材を見て、近位の取付手段の領域で、目を、上方の取付手段からつま先まで移し、それから視線を転じて、近位の取付手段の領域での初めの表面に戻る。つまりは、目を、上方から下方へ移し、湾曲部の終わりで下方から上方に戻すのである。
【００３４】
案内要素は、踵からつま先まで凹状、凸状、凹状に延びている形状を有する板ばねとして形成されていてもよい。その目的は、一方では、自然の土ふまずを形作り他方では、踵接地後のソフトなローリング、中足部領域での凸状の運動および前足領域でのローリングを保証するためである。これは、案内要素の下側から見た図である。
【００３５】
本発明の実施の形態は、前足部分および案内要素が、整列装置を介して、互いに関連して設けられていることを意図する。整列装置は、同時に、接着結合のための型を提供し、更に、外部の影響からのコンポーネントの保護、あるいは、靴を、場合によっては縁の鋭い板ばねからの靴の保護を提供する。何故ならば、整列装置は、構造部材および案内要素と共に接着され、かつ、義足足部にとどまるからである。
【００３６】
前足部分と、案内要素と、整列装置とは、互いに貼着されていてもよくて、３者を永続的に互いに取り付けることができる。
【００３７】
義足足部は、特に、自然の踝の位置の領域、またはその位置の上方で後方に延長した湾曲部と、立脚相中にソール機能を果たす案内要素とを有する構造部材の実施の形態によって、靴の中に設けるために形成されており、かつそのために適切である。
【００３８】
以下、図面を参照して本発明の実施の形態を詳述する。
【図面の簡単な説明】
【００３９】
【図１】義足足部の斜視図を示す。
【図２】図１の側面図を示す。
【図３】変形した構造部材を有する変形例を示す
【図４】図３の変形例を示す。
【図５】横力相殺の斜視図を示す。
【図６】製造中の整形外科用コンポーネントの側面図を示す。
【図７】供給手段および排出手段を有する斜視図を示す。
【図８】整形外科用コンポーネントの部分の断面図を示す。
【図９】整列装置の斜視図を示す。
【図１０】図９の整列装置の他の図を示す。
【図１１】斜め後方から見た整形外科用コンポーネントの部分図を示す。
【図１２】図１１の変形例を示す。
【図１３】第２の実施の形態の部分斜視図を示す。
【図１４】図１３の実施の形態の他の図を示す。
【図１５】第２の実施の形態の整列装置の全体図を示す。
【図１６】図１５の断面図を示す。
【図１７】図１４の断面図を示す。
【図１８】図１７の他の図を示す。
【発明を実施するための形態】
【００４０】
図１は、一体的な板ばねの形態をとる構造部材１０を有する義足足部１の側面斜視図を示す。板ばねの近位端部には、アダプタパイロンの形状をとる取付手段２が、ねじによって取り付けられている。固定は、支持部分１４でなされる。該支持部分は、義足足部１の通常の設定の際には、実質的に水平方向に外へ向けられている（整列されている）。接続部分２から、構造部材１０は、後方方向に向けられている湾曲部１６で、後方に、凸状の曲率をなして延びており、凹状に形成されている接続部分１８へと、前方に延びている。凹状の接続部分１８には、同様に凸状に成形された前足部分２０が続いている。該前足部分２０は、義足足部１のつま先まで突き出ている。つま先領域には、キャップの形態の整列装置４が貼着されており、該整列装置は、下面にソール要素６０を有し、あるいは、下面には、ソール要素６０が形成されている。整列装置４は、一方では、構造部材１０の前足部分２０を受け入れ、かつ取り付けるために、前足部分を前端および側縁で保護するために、かつ、案内要素３０に対し整列するために用いられる。案内要素は、前足部分２０の下方で、該前足部分から間隔をあけて、整列装置４に取り付けられている。取付の方法および整列装置４の構造が、後で詳述される。
【００４１】
案内要素３０は、実質的に水平に、後方方向に延びている。案内要素３０は、板ばねとして形成されている。該板ばねは、前方から後方へ延びていて、凸状の、凹状の、次に再度凸状の輪郭形状を有する。案内要素３０の後端には、踵キャップの形態の形状結合要素（Formschlusselement）５が設けられている。形状結合要素の下面には、同様に、ソール構造６０が設けられ、または形成されている。形状結合要素５は、案内要素３０に、例えば、差し込み、挟みつけまたは螺着によって、形状結合で（formschluessig）取り付けられていてもよい。代替的に、または補足的に、案内要素３０との貼着および／または接合を行なうことができる。
【００４２】
接続部分１８の領域の、構造部材１０の下面には、第２の形状結合要素６が設けられており、有利には、貼着、接合され、あるいは、ねじ等のような形状結合要素によって、下面に取り付けられている。第２の形状結合要素６は、第１の形状結合要素５と共に、発泡体またはエラストマ要素の形態のばね・ダンパ・システムを可逆的に受け入れるために用いられる。ばね・ダンパ・システムを、構造部材１０と、案内要素３０の間に入れる。この目的のために、案内要素３０を、構造部材１０から離し、構造部材１０の下面と、案内要素３０の上面との間の拡大する空間に、ばね・ダンパ・システム４０を挿入し、後方へ移動し、例えば、突起および溝を介して、義足足部１０の２つの弾性的な構成要素の間に形状結合で保持する。
【００４３】
図１から既に見て取れるように、構造部材１０が一体的に形成されており、かつ、有利には繊維強化プラスチック系複合材料からなる板ばねとして構成されており、凸状に外側へ湾曲した形状を有する湾曲部１６は、後方方向で、案内要素３０の後端から突き出ている。ここでは、ばね・ダンパ・システム４０は、案内要素３０の後端から突き出ている、構造部材１０の部分が、自然の踝の上方にまたは踝の領域に延びていて、義足足部１を容易に靴に入れることができるような寸法である。
【００４４】
後方方向に拡大されるばね長さによって可能であるのは、同時に平坦な義足足部において、ばねの拡大された全長を提供することであり、それ故に、より大きなエネルギ量を蓄積し、踵接地の際には、より深い沈み込みを行なうことができ、しかも、構造部材１０の材料厚みを過剰に拡大させる必要がない。材料の厚みを過剰に拡大するのであれば、踵接地の際には耐久性、調整可能性および弾性を不可避的に損なうであろう。
【００４５】
案内要素３０は、構造部材１０よりも著しく薄い。その目的は、踵接地を行なうときに、容易な変形性を保証するためである。このことによって、案内要素３０を、走行方向に直角にかつ案内要素の平面に延びている軸を中心として容易に回動させることができ、それ故に、わずかなエネルギ伝達またはわずかな力導入だけのみを、踵接地の際に、案内要素３０を介して前足領域２０に行なうのである。縦軸を中心とした、または義足足部１の長手方向に向いた軸を中心とした回動は、板ばねとしての案内要素３０の構造に基づき、不可能であるか、あるいは限定的にのみ可能である。それ故に、ばね・ダンパ・システム４０の圧縮の際には、案内要素３０の回外運動または回内運動が回避される。
【００４６】
案内要素３０の後端に設けられた形状結合要素５(踵キャップともいう)は、踵部を形成することができる。それ故に、案内要素３０の後端には、地面(床)に対して拡大された自由空間がある。この踵部は、圧縮可能な弾性的な材料からなることができるソール要素６０によって形成されていてもよい。その目的は、踵接地の際には、案内要素３０への柔らかな力導入を引き起こすためである。
【００４７】
前足部分２０は、板ばねとして形成されており、前足への負荷の下で変形を可能にする。案内要素３０は、矢状面において、低いモーメントで構造部材１０に結合されている。ここでは、ソール要素６０は、踵領域での負荷によって、ばね・ダンパ・システム４０の圧縮のほかに、負荷の結果から生じる床反力の、負荷に適する移動が調整され、それ故に、力導入点が、ローリング運動中に、義足足部１の長手方向に沿ってできる限り均等に移るように、設計されている。踵から前足へのローリングの際に、初期の踵接地後にばね・ダンパ・システム４０に蓄積されたエネルギの、前足部分２０への伝達が生じるのは、前足ばねを圧縮するのみならず、ばね・ダンパ・システム４０を緩和し、そこに蓄積されたエネルギを放出し、このことによって、前足の前足部分２０の変形による遅延作用を低減することによって、である。
【００４８】
構造部材１０には、特殊な状況におけるピーク負荷の際に、例えば、ある高さ等からのジャンプの際に、案内要素３０の圧縮距離を制限する過負荷ストッパ７０が設けられている。該過負荷ストッパは、上方の形状結合要素６の突出部として形成されている。それ故に、過剰な負荷の際には、過負荷ストッパ７０は、下方の形状結合要素５と直接接触することができ、ばね・ダンパ・システム４０の更なる変形および圧縮を阻止する。
【００４９】
図２は、前足部分２０の領域における上面に設けられており、かつ例えばマジックテープ（登録商標）等を介して上面に可逆的に取付可能であるパッド９０を有する、図１に示した実施の形態の、側面図を示す。該側面図には、前足部分２０が、義足足部１のつま先領域まで延びており、かつ整列装置４の上面に載置されていることが認められる。構造部材１０の側縁部は、整列装置４から上方へ突出している側壁によって、少なくとも部分的に覆われている。それ故に、敏感な側縁部の保護は、繊維強化の板ばねでは、板ばねの縁部に対する周囲材料の保護と同様に、与えられている。さらに、パッド９０は、追加の保護を提供することができる。
【００５０】
整列装置４内には、図示しない挿入口が設けられている。該挿入口には、同様に板ばねの形態で形成されているところの案内要素３０が挿入される。案内要素３０は、ほぼ完全に、整列要素４に入り込んでいる。小さな前端領域のみが、前方の端部として用いられ、かつ衝撃負荷に対する保護のために用いられる。整列装置４は、好ましくは弾性材料から形成されており、構造部材１０および案内要素３０で永続的に貼着される。この目的のために、整列装置内には、接着剤が充填されている少なくとも１つの空所が設けられている。整列装置４の下面には、前方のソール要素６０が設けられ、あるいは形成されていてもよい。その目的は、踵キャップ５において、ソール要素６０に類似した軽快なローリングを可能にするためである。踵キャップ５すなわち形状結合要素５は、同様に、案内要素３０のための受け入れスロットを有する。案内要素３０は、受け入れスロットに挿入されており、形状結合要素により、あるいは貼着または接合により、形状結合要素５内に保持されている。
【００５１】
側面図に認められるのは、案内要素３０が、まず凸状の、次に凹状の、次に再度凸状の形状を有する、前方から後方に弓形になった形態を具備する。このことによって、ばねの全長が拡大され、ローリング運動が、踵接地の際にも、立脚終期の際にも容易化される。案内要素３０の凹状領域は、義足足部１の中足部領域に設けられており、かつ、自然の土ふまずを形作る。
【００５２】
更に、上方の形状結合要素６０、従ってまた、ばね・ダンパ・システム４０と、構成部材１０の下面にある接続部分との上方接触面が、ほぼ、案内要素２０の後端を有する平面に位置していることが認められる。後方で形状結合要素６を越え、更に案内要素３０の後端を越えている湾曲部１６は、突出部Ｒを有する。該突出部は、全足長ＦＬの、すなわち、つま先から踵キャップ５の後端までの全長の約８分の１である。後方に向いた突出部Ｒによって、義足足部１の有効なばね長が、大規模に拡大される。それ故に、より大きなエネルギ蓄積能力を、同時により大きな圧縮距離および同時に細いばね形状とともに、達成することができる。何故ならば、蓄積されたエネルギを、構造部材１０のばね板における材料の厚さによって、でなく、拡大したばね長により、行なう。板ばねが、繊維複合材料から、より薄く構成されるほど、板ばねはより一層耐久性を有する。何故ならば、板ばね内には、より低い剪断力が発生するからである。
【００５３】
ばね・ダンパ・システム４０と、構造部材１０との接触面が、接続部分１８の領域で、すなわち、湾曲部１６の凸状の形態が接続部分１８の凹状の形状に移行してなる領域で、生じるのは有利である。発泡体またはエラストマ要素からなるばね・ダンパ・システムは、初期の踵接地の際に、接地の際に生じる力を、ばね・ダンパ・システムを取付アダプタ２の方向に方向づけすることに基づき、直接に取付アダプタ２の方向に導く。力を接続領域に導入することに基づき、圧縮は、踵接地の最中に、構造部材１０の、近位に続く部分を越えて、すなわち、湾曲部１６および取付部分１４に生じる。それ故に、力伝達およびエネルギ蓄積は、前足部分で生じない。従って、前足部分２０を、踵接地の際に、マイナスに負荷しない。何故ならば、前足部分２０への力導入は生じないからである。案内要素３０の少ない厚さに基づき、およびプレート面に対し直角の仮想の旋回軸５０を中心とした単純な折り曲げに基づき、案内要素３０によっても、前足部分２０へのエネルギ入力は生じない。泡体または適切なエラストマ要素からなるばね・ダンパ・システム４０の実施の形態では、ばね・ダンパ・システム内には、剪断力は生じない。それ故に、案内要素３０に引張り力は導入されない。
【００５４】
交換可能に構成されていてもよいばね・ダンパ要素４０は、有利なことには、連続的なばね・ダンパ挙動を有し、かつ、例えば、２成分系発泡体として、２成分系エラストマ、あるいは複数の材料および/または同一の材料の複数の密度の組み合わせを有することができる。その目的は、所望のばね・ダンパ特性を保証するためである。ばね・ダンパ要素４０は、ばね・ダンパ要素４０の凹部または溝に係合する形状結合要素５，６に、形状結合で保持されている。
【００５５】
図２の側面図で、更に認められるのは、構造部材１０が、無関節の義足足部１である一体的な板ばねとして形成されており、かつ、有効なばね長を拡大するために、踝の領域に、ばね延長部を有することである。拡大された有効なばね長に基づき、義足足部１の垂直方向の変形が、容易に可能である。湾曲部１６の頂部は、自然の全足長ＦＬを越えており、すなわち、板ばねとして形成された案内要素３０の後端を越えている。義足足部１は、直ぐに靴に挿入可能であり、装飾用足部を必要としない。義足足部１は、その構成に基づき、高い変形能力、立脚相中の大きなエネルギ蓄積能力を有し、板ばね構成要素の比較的少ない厚さに基づき、高い耐久性を利用し、かつ義足足部の少ない高さを可能にする。更に、実施の形態は、踵構成要素を用意している。その目的は、通常の活動中にも義足足部１を着用することができるためである。更に、義足足部１が、ジョギングなどのスポーツ活動のために適切であることは好ましい。従来の技術から知られたスポーツ足部は、通常、靴に着用することはできず、かつ、立っているためには通常適切でない。毎日の使用のための通常の無関節の義足足部を、装飾用足部に、または必要な場合には靴の中にも使用することができるが、義足足部は、本発明の義足足部１が可能とするとは異なり、高い程度の変形性を可能にしない。
【００５６】
図２に示した側面図では、取付手段２に、まず実質的に水平の板ばねが、取付部分１４の領域で認められる。これらの部材からは、わずかに下方に傾斜した形状が、後方の方向に連続している。基本的には、別の水平の形状、あるいはわずかに上方に傾斜した形状が連続することも可能である。取付部分１４には、後方の湾曲部１６が続いている。該湾曲部は、義足足部１の踵端部の後方の全足長ＦＬの約８分の１に亘ってあり、凹状の曲率を有する。凹状の曲率の端部後に、構成部材１０は、湾曲部１６に比較して大きい半径を有する凸状の曲率に移行し、そこから、再度、湾曲部１６よりも同様に大きい曲率半径を有する凹状の曲率に移行する。踵接地の際に、ばね・ダンパ・システム４０およびばね部分は、湾曲部１６および取付部分１４と直列接続されている。後方の湾曲部１６によって、地面(床)の方向への取付手段２の移行の形態をとる構造部材１０の変形後に、変形が可能である。この目的のために、湾曲部１６は、踵接地からばね・ダンパ・システムを通って取付手段１２に延びる力線によって、後方へ突き出ている。後方の突出部Ｒが大きくなるほど、義足足部１は柔らかくなる。最大の突出部Ｒは、使用目的、使用された材料および義足足部のユーザの好みから生じる。
【００５７】
立脚中期へのローリングの際に、ばね・ダンパ・システム４０を部分的に緩和する。何故ならば、今や、前足部分２０および前方のソール要素６０地面(床)に接触するからである。このことによって、全体の構造部材１０が変形し始める。これまでまだ変形されない前足部分２０が曲げられ、立脚中期中に垂直方向に導入された力は、更なる変形によって、湾曲部１６および取付部分１４の領域で、ポテンシャルエネルギに変換される。このことによって、垂直方向の衝撃負荷が軽減される。前足への更なるローリングの際に、ばね・ダンパ・システム４０は完全に緩和され、構造部材１０は、全負荷を担う。湾曲部１６に基づき、変形が前足の持ち上げの際に、蓄積されたエネルギの戻しの代わりに、まず優先的に垂直方向に生じ、緩和の最後の３分の１で走行方向に回転する。湾曲部の頂点は、ほぼ、自然の踝の領域に位置しており、かつ、後方方向に、自然の踝の位置を越えて移動される。踵の剛性は、優先的に、ばね・ダンパ・システム、構造部材１０の湾曲部１６および取付部分１４によって制御される。力導入点は、ソール要素６０の形状によって、できる限り長く、踵の付近で保護される。その目的は、踵の変形挙動を、ユーザにとって快適に形成するためである、案内要素３０の細い実施の形態によって、わずかな力が、前足部分に加えられる。このことは、踵要素の、倍に湾曲された形状によって更に低減される。
【００５８】
図３には、義足足部１の他の変形例が示されている。図示した実施の形態では、義足足部１は、支持構造体１０および前足要素２０の一体的な組み合わせを有する。支持構造体１０の近位端部には、次に、下腿シャフトまたは他の固定要素への取付が生じる。プレート状の、実質的に平坦な案内要素３０は、地面(床)に向いた下側で、前足要素２０の足球領域に取り付けられ、例えば貼り合わされ、接合、螺着または貼着されている、旋回軸として形成されている軸５０は、フィルムヒンジによって形成されている。該フィルムヒンジは、フィルムヒンジ内に位置している軸を中心とした回動を可能にする。縦軸を中心とした前後方向での回転、および軸を中心とした近位遠位方向での回転を、しかしながら、案内要素３０の剛性に基づき、著しく阻止する。ばね・ダンパ・システムは、踝の近傍で、支持構造体１０に直接取り付けられている。
【００５９】
図３の変形例は、図４に示されている。図では、フィルムヒンジの代わりに、軸５０を有し、かつフラップとして形成されていてもよいフリーヒンジが設けられている。
【００６０】
すべての実施の形態に共通しているのは、踵側のばね・ダンパ・システム４０が、案内要素３０を介して、矢状面において、低モーメントで足部構造の他の要素、従って、前足部分２０または構造部材１０に結合されていることである。ばね・ダンパ要素４０の作用方向の外側の力は、案内要素３０に吸収され、軸５０を中心とした回動を可能にするところのヒンジを介して、導入される。ばね・ダンパ・システム４０は、その上面で、踝の近傍で、構造部材１０で支持される。案内要素３０は、実質的に、平坦な構造体として形成されており、かつ、構造部材の下面で支持されるばね・ダンパ・システム４０を、下面で支持する。踵への偏心的な力導入では、案内要素３０の平坦な構造がねじられる。それ故に、接触面が拡大される。走行方向に、または走行方向に直角に作用するところの、踵への負荷の際に導入される水平方向力を、案内要素３０の構造によって吸収され、かつ、旋回軸５０として形成されているジョイントを介して、踝の近傍の支持構造体に導入される。案内要素３０の関節式の取付手段は、従って、踵側のばね・ダンパ・システムを、水平力における剪断力に対し支持する。この場合、関節式のマウントは、システムが、その幅によって、発生する剪断力を吸収することが上手くできるように、設計されている。共通の軸５０には、複数の支持点が並設されていてもよい。その目的は、関節の直列配列を実現するためである。義足足部は、接地の際の衝突の間に、力を減じ、オーバーローリングの際に十分な安定性を得、かつ、衝突の際には、ユーザが歩行中に上手く制御することができるところのエネルギ量を戻すことを意図する。個々のコンポーネントの、このために必要な変形は、使用された高性能材料の性能を、その限界にもたらす。従って、高性能材料からなる義足足部には、しばしばばねシステムが使用される。該ばねシステムは、互いにほぼ堅固に接続されている、これらの要素は、過負荷に対する結合効果によって、保護するが、他方、例えば踵および前足による異なる負荷の導入への独立した効果を可能にしない。
【００６１】
図５には、構造部材１０およびばね・ダンパ要素４０ならびに案内要素３０の背面図が示されている。上図には、無負荷の義足足部が示されている。案内要素３０が、踵側のばね・ダンパ・システム４０を介して、構造部材１０に結合されていることが認められる。案内要素３０から構造部材１０への力の伝達を、ばね・ダンパ・システム４０の作用方向でのみ行なうことを意図する。これは、踵接地の際に、矢状面および正中面の、遠位から近位への力の方向である。ばね・ダンパ・システム４０の作用方向の外側の力は、案内要素３０によって吸収され、かつ、半関節型の支持手段を介して、前足部分２０へ、前足部分を介して構造部材１０へ、あるいは直接構造部材１０に導き出される。ばね・ダンパ・システム４０を案内するための案内要素３０の、レール状の構造体は、遠位では、踵の負荷によって、ばね・ダンパ・システム４０の圧縮のほかに、例えば案内要素３０のねじれによる、結果として生じる床反力の、負荷に適する移動を、調整するように、設計されている。このような状況が、図５の左下図に示されている。横方向の力は、案内要素３０に作用する。このことは、案内要素３０の移動をもたらす。
【００６２】
図５の右下図には、交差して設けられている、引張り要素の形態をとる２つの安定化要素８０を有する実施の形態がある。安定化要素８０の支持手段(軸受)は、この場合、かように設計されており、安定化要素８０によって、以下のように、すなわち、横方向の力が支持されるのみならず、横方向に作用する力が、力作用点の側への力作用点の移動による、回動運動によって阻止されるように、支持される。
【００６３】
図６は、義足足部１の形状に形成された整形外科用コンポーネント１の前方部分の略側面図を示す。義足足部１は、繊維強化プラスチックの板ばねとして製造されている２つの構造部材１０，３０を有する。義足足部１の前足領域が示されている。第１の構造部材１０は前足ばねであり、第２の構造部材３０は、ベーススプリングである。前足ばね１０は、上部接続点に斜め上方に延びており、該上部接続点には、下腿チューブまたは下腿シャフトに取り付けるための固定手段または接続手段が、取り付け可能である。案内要素３０は、べーススプリングとも呼ばれ、踵領域まで延びている。踵ばねは、ベーススプリング３０から前足ばね１０および／または上方の接続手段に延びていてもよい。
【００６４】
構造部材１０および案内要素３０は、プラスチック射出成形部品として形成された整列装置４に関連して設けられている。整列装置４は、ポリウレタン、工業用ポリエチレン、工業用ポリウレタン、ゴムまたは他のプラスチック、好ましくはエラストマからなってもよい。整列装置４は、第２の構造部材２０のための挿入スリットと、第１の構造部材１０のための、上面にある収容領域とを有する。該収容領域には、第１の構造部材１０を載置することができる。支持領域は、壁によって取り囲まれている。その目的は、構造部材１０の輪郭が支持領域の周囲の壁部に接触しているとき、第１の構造部材１０を、整列装置４に対して明確な位置で載置することができるためである。
案内要素３０を、整列装置内の図示しないスリットに挿入する。それ故に、案内要素３０または板ばねの下面が、整列装置４の下面の閉じた表面によって覆われている。構造部材１０と案内要素３０の間には、該２つのコンポーネントを互いに間隔をあけて保持するスペーサが形成されている。案内要素３０を整列装置４に挿入することによって、これらのコンポーネントも、明確に、整列装置４に関連して設けられている。詳しくは、例えば、第２の構造部材３０は、整列装置４内のスリットまたは溝の中で案内されているのである。このことによって、２つのコンポーネント１０，３０および収容装置４は、実質的に閉じられた空所を形成する。整列装置４の側壁には、供給接続部４４が設けられている。該供給接続部は、図示しない空所と流体連通している。接着剤を、供給接続部を通って、空所に導入または注入することができる。供給接続部４４から離隔した側では、排出通路が設けられている。該排出通路は、同様に、空所と流体連通している。それ故に、空所内にある空気が流出することができ、空所を、接着剤で完全に充填することができる。
コンポーネント１０，３０および整列装置４は、通常のクランプとして形成することができるプレス７に保持されている。プレス７には、２つのプレスシュー７１，７２が設けられている。該プレスシューは、整形外科用コンポーネント１の夫々関連した輪郭に対応する輪郭を有する。図示した実施の形態では、上部のプレスシュー７１は、凸状の曲率を有し、下部のプレスシュー７２は凹状の曲率を有する。それ故に、一方では、収容装置４の下面、他方では、第１の構造部材１０の上面は、各々のプレスシュー７１，７２の表面に完全に接触することができる。プ レス７を閉じ、かつ、プレスシュー７１，７２に圧力を印加するとき、第１の構造部材１０を、整列装置４にある支持面の表面へ押圧する。それ故に、構造部材１０と案内要素３０の間で上方と下方にかつ側面で整列装置４によって形成された空所が閉じられており、接着剤の供給を、供給接続部４４のみによって行ない、空気の、必要な場合には余分な接着剤の流出を排出通路によって行なうことができる。  
接着剤を注入した後、接着剤が硬化するまで、加圧力を維持して、第１の構造部材１０と案内要素３０と、整列装置４との間の永続的な結合を達成しようとする。接着剤の硬化後に、整列装置４は、整形外科用コンポーネント１にとどまり、一方では、構造部材１０，３０のための保護として、他方では、整形外科用コンポーネントの機能的なコンポーネントとして、例えば、義足足部の成形品として、クッションとして、ソール構造として、あるいは、他の実施の形態では、他のコンポーネントのための収容装置または保護装置として用いられる。
【００６５】
図７は、整形外科用コンポーネント１の製造段階、少なくとも、構造部材１０および案内要素３０の、整列装置４との結合段階の平面斜視図を示す。整列装置４の供給接続部４４には、図示した実施の形態ではチューブまたはパイプとして形成された供給手段５１が取り付けられている。接着剤は、供給手段を通って、矢印によって示すように、図示しない空所に導入される。空所は、上面および下面では、構造部材１０および案内要素３０によって、前面および側縁部では、整列装置４の側壁によって、板ばね１０，３０の間の後方では、スペーサによって形成され、かつ閉じられている。該スペーサは、構造部材１０の下面のみならず、案内要素３０の上面にも接触している。図２には、プレス７は示されてはいないが、接着剤の供給中には、各々のコンポーネント４，１０，３０への割り当ては、プレス７または他の適切な固定手段によって維持される。
【００６６】
接着剤は、供給手段５１および供給接続部４４によって空所へ導入される。空所内の空気は、接着剤によって排除され、かつ、排出手段５２を通って運び出される。該排出手段５２は、整列装置４内の空所と流体連通している図示しない排出通路に接続されている。それ故に、空気および場合によっては余分な接着剤は、矢印によって示すように、排出通路から、排出開口部５１を通って出ることができる。供給接続部４４のみならず、排出通路も、板ばね１０，３０同士の間隔をあけて保つことを保証するスペーサ内に設けられていることは好ましい。このことによって保証されるのは、板ばね１０，３０を、整列装置４内にまたは整列装置の際に設けることにより、供給接続部４４および排出通路を閉鎖することである。
【００６７】
図示しないプレス７は、接着剤が硬化する間、コンポーネント４，１０，３０同士の割り当てを保つ。硬化後に、供給手段５１および排出手段５２を、整列装置４から分離、例えば折曲する。その目的は、整列装置４のほぼ滑らかな密閉を、供給接続部４４および排出通路の領域で達成できるようにする。このことは、例えば、供給手段５１および／または排出手段５２での、整列装置４への接続領域における破断点によって、保証することができる。
【００６８】
図８は、組立の完了した義足足部の前部の断面図を示す。該義足足部は、整列装置４に載置されており、かつ繊維強化プラスチックからなる前足ばねの形態をとる上方の第１の構造部材１０と、整列装置４と、該整列装置４に挿入されていて、べーススプリング(同様に繊維強化プラスチックからなる板ばねとして形成されている)の形態をとる案内要素３０とを有する義足足部１である。上方の板ばねは、上方の支持面に載置されており、下方の板ばねは、下方の支持面８２０に載置されている。整列装置４の、前方の、図示した実施の形態では右側の端部には、通路４８が形成されている。該通路は、案内要素３０の下面から空所４１へと延びており、該空所は、案内要素３０と、第１の構造部材１０と、整列装置４とによって取り囲まれる。整列装置４のベースの、案内要素３０に向いた表面に形成された支持面８２０には、複数の凹部８２１が形成されている。その目的は、第２の構造部材２０の下方にも、空所４１と流体連通している構造化した表面または凹部８２１に基づき、空所４１を完全に満たす接着剤５が、凹部８２１に浸入することができるためである。それ故に、少なくとも下方の構造部材２０が、複数の面でまたは複数の箇所で接着剤５によって囲まれている。供給接続部４４が、組立中に、整列装置４の、測地学的観点から見て最低の箇所に、図示した方向では、例えば、整列装置４の下面に設けられており、凹部８２１と、通路４８に基づき、空所４１とも流体連結していることは好ましい。今や、最低の箇所に、接着剤５が供給されるとき、接着剤は、整列装置４のベースの上面にある構造化された表面を通って、凹部８２１を通って、通路４８を通って空所４１へ押し出される。今までそこに閉じ込められた空気は、図示しない排出通路を通って排出される。
【００６９】
更に、図８からは、案内要素３０のための挿入口４２０が見て取れる。該挿入口は、図示した実施の形態では、スロットとして形成されており、支持面８２０を形成するベースの表面の高さで終わっている。挿入口４２０の上方には、第１のスペーサ４０１が設けられており、該スペーサの上には、第１の構造部材１０が載置されている。それ故に、第１の構造部材１０と、案内要素３０との間には、中間空間１２が形成されている。該中間空間は、前方の方へも続いている。何故ならば、前単には、第２のスペーサ４０２が形成されているからである。該第２のスペーサは、第１の構造部材１０のための支持面として働いている。図３から見て取れるのは、挿入口４２０は、下方の板ばねを密接して押し通し、かつ挿入することができるほどの寸法になっていることである。このことによって、接着剤５の挿入の際に、該接着剤が、挿入口４２０の領域の、案内要素３０の周囲から流出することを回避する。密閉作用を、第１の構造部材１０をスペーサ４０１従ってまた案内要素３０に押圧することによって、増大させる。第２のプレスシュー７２に基づき、支持面８２０は、案内要素３０に密接している。その目的は、空所への充填中に接着剤が漏れ出ることがないようにするためである。
【００７０】
案内要素３０の前端は、収容装置４に完全に収容されており、かつ、全面で保護されかつ囲まれる。第１の構造部材のための上方の支持面の縁どりは、周面における板ばねを保護するのである。下面では、保護は、接着剤および整列装置４上の支持面によって生じる。上側のみが保護されていない。
【００７１】
図９は、前述の図面の実施の形態に示す収容装置４の斜視図を示す。供給接続部４４と、排出通路４５と、下方の支持面８２０とのほかに、凹部８２１が幾らか拡大して示されている。凹部８２１と流体連通している通路４８は、示されていない。後面および前面にはスペーサ４０１，４０２が認められる。スペーサ４０１，４０２は、上面に、同時に、図示しない第１の構造部材のための上方の支持面８１０を形成する。第１の構造部材の下面を、支持面８１０へ押圧する。挿入スロットまたは挿入口４２０は、下方の支持面８２０の高さで終わる。支持面８２０の側方脇で、側方のスペーサ４０３に、溝が形成されている。該溝へは、プレート状の案内要素３０を、該構造部材が整列装置４の前方終端に当接するまで、挿入する。
【００７２】
上方の支持面８１０は、上方の構造部材１０の材料厚さに対応することができる側壁４０４、４０５、４０６によって囲まれる。側壁４０４、４０５、４０６によって、整列装置４への、従ってまた下方の案内要素３０への、上方の構造部材１０の所定の割り当てを保証するのは、構造部材１０の前縁および側縁が、各々の側壁４０４、４０５、４０６に接触しているときである。側壁４０４、４０５、４０６の高さが、上方の構造部材１０の材料厚さに対応するとき、複数の表面の面一の密閉を達成することができる。
【００７３】
図１０は、前述の実施の形態に係わる整列装置４の、斜め後方の図を示す。この図からは、後方のスペーサ４０１と、前方のスペーサ４０２と、挿入口４２とが、非常によく認められる。同様に、供給接続部４４が、排出通路４５よりも低く形成されており、供給接続部４４のみならず、排出通路４５もスペーサ４０３内に形成されていることが認められる。スペーサ４０３として形成された側壁の下方には、アンダーカットによって、溝が形成されており、該溝には、案内要素３０が挿入可能である。上方の支持面８１０から突き出ている隆起した側壁４０４，４０５，４０６は、整列装置４のベースの表面上の、図示した実施の形態では平坦な支持面８２０と同様に、認められる。側壁４０２，４０３および後方のスペーサ４０１によって、整列装置４内に、接着剤で完全に充填することができる収容部が形成される。案内要素３０を挿入口４２０の中へ挿入することによって、挿入口４２０を閉じる。このことによって、案内要素３０の挿入後に収容部は、上部のみ開いている。図示しない構造部材１０を、上方の支持面８１０上に載置するとき、空所４１は閉じられている。空所４１に接着剤を充填した後に、接着剤は、整列装置４のみならず、２つの板ばね１０、３０と接着接続している。
【００７４】
図１１は、組み立てが完了した状態にある、義足足部の形状をした整形外科用コンポーネントの、その前方部分を斜め後方から見た図を示す。案内要素３０は、挿入口４２０に挿入されており、上方の構造部材１０は、スペーサ４０２によって保証されている中空空間１２を形成しつつ、図示しない支持面８１０上に載置されかつ保持されている。排出通路は、側壁に設けられており、コンポーネント４，１０，３０は、収容装置４内で、接着剤によって、永続的に接続されている。
【００７５】
図１２は、他の側から見た、図１１に示した実施の形態を示す。供給接続部４４は、整列装置４の前方の側壁に設けられている。
【００７６】
図１３は、本発明の変形例を示す。該変形例では、図６ないし１２に示している２つのみの構造部材の代わりに、３つの構造部材１０，１１，３０が、整列装置４によって、相互接続されている。整形外科用コンポーネント１は、同様に、義足足部として形成されており、かつ、案内要素３０としてベーススプリングを有する。前足ばねは、平行に接続された二重の板ばね装置として形成されている。該板ばね装置は、中間の構造部材１１としておよび上方の構造部材１０として２つの板ばねを有する。二重ばねおよびベーススプリングの向きは、上述した向きに対応する。原理的には、コンポーネント１０，１１，３０相互の異なった向きおよび整列も可能であり、かつ存する。
【００７７】
下方の案内要素３０と中間の構造部材１１との間には、中間空間２３が形成されている。他方、上方の構造部材１０と、中間の構造部材１１との間には、第２の中間空間１２が形成されている。該中間空間は、対応のスペーサによって、収容装置４内に形成されている。
整列装置４は、前述の実施の形態とは逆に、上方で閉じられている。このことは、空所を閉じるために、上方の構造部材１０を、上方の支持面上に載置しないことを意味する。むしろ、すべての構造部材を、後方の側から挿入口を通って整列装置４へ押し入れるのである。
【００７８】
各々の構造部材１０，１１および案内要素３０の間隔が整列装置４内で連続するので、少なくとも２つの空所が、整列装置４内で形成され、互いに分離される。それ故に、図示した実施の形態では、２つの供給接続部４４，４６が形成されている。その目的は、空所を別々に充填することができるためである。このことによって、異なる接着剤、異なる接着剤温度または他のプロセス特性を、これらがプロセス技術的に必要であるとき、実現することが可能である。
【００７９】
図１４は、図１３に示した実施の形態の、斜め後方から見た図を示す。整列装置４の後端面に形成された３つの挿入口４１０，４２０，４３０は、２つの供給接続部４４，４６、および、板ばね１０，１１，３０の間にある、後壁によって形成された後方のスペーサ４０１と同様に、認められる。
下方の案内要素３０のための挿入口４３０は、前述の実施の形態のように、下方の支持面８２０の高さに位置している。側壁にある溝、好ましくは側壁にある環状の溝、および支持面の、必要な場合には存在する構造体も設けられていてよい。上方に開いた実施の形態の代わりに、図１４に図示した実施の形態では、カバー４４０が設けられている。それ故に、上方の構造部材１０の上面も、整列装置４の材料部分によって覆われる。従って、構造部材１０，２０のおよび案内要素３０の前端が、整列装置４によって完全に囲まれてよく、接着剤によって、互いにおよび整列装置４に接続されている。
【００８０】
図１５は、第２の実施の形態に係わる整列装置４の個別図を示す。後側に、３つの挿入口４１０，４２０，４３０が、２つの側方の供給接続部４４，４６と同様に認められる。該供給接続部は、中間空間への、および／または板ばね１０，１１，３０の挿入により生じかつ整列装置４に形成された空所へのアクセスを可能にする。上方のカバー４４０は、上方の境界部を形成し、整列装置４のベースは下方の境界部を形成し、義足足部としての整形外科用コンポーネントの実施の形態では、一種の底を形成する。
【００８１】
図１６は、整列装置４の断面図を示す。該断面図からは、挿入口４１０，４２０，４３０と、後方のスペーサ４０１と、前方のおよび側方のスペーサ４０２，４０３が認められる。同様に、前方のスペーサ４０２を通過する通路が形成されている。それ故に、接着剤を、供給接続部４４，４６を通って、側方へ、空所４１，４２へ導入することができる。該空所は、整列装置４と、そこに収容された構造部材とによって形成される。図１３ないし１５に示された実施の形態の代替として可能であるのは、下方の開口部４４のみが供給接続部として形成されており、他方、上方の開口部は、排出通路として形成されていることである。その目的は、接着剤は、供給接続部４４を通って、空所４２および通路４９を通って、空所４１に達し、次に、排出通路を通って流出する。支持面８２０は、構造化されていてよく、同様に、接着剤が、支持面の回りを洗って、濡らすことができる。それ故に、中間の構造部材は、下面および上面において、接着剤によって囲まれ、かつ、両面で、中間の構造部材の上にある他の構造部材１０，３０と接続されている。閉じられたカバー４４０は、閉じられた前方の先端、下方の構造部材のための挿入溝と同様に、認められる。該挿入溝は、通路４９を越えて前方向に突出している。供給接続部４４，４６および／または供給接続部４４および排出通路は、側方のスペーサ４０３に形成されている。
【００８２】
図１７は、組み立て状態にある整形外科用コンポーネント１の前端を断面略図で示す。２つの構造部材１０，１１および案内要素３０は、各々の挿入口を介して、整列装置４に挿入されており、後方のスペーサ４０１，図示しないスペーサ４０３および前方のスペーサ４０２は、互いに間隔をあけて整列装置４に保持されている。接着剤５を、図示しない供給接続部４４を通して空所４１に挿入し、通路４８を通って上方の空所４２に入れ、かつ、図示しない上方のスペーサ４５を通って排出した。構造部材１０，１１，３０の周囲の挿入口４１０，４２０，４３０の密閉閉鎖によって、製造中に、接着剤は、後方に流出しなかった。接着剤は、第２の構造部材１１を、上面、前面および下面において取り囲む。
【００８３】
図１８は、組み立てられた義足足部、すなわち整形外科用コンポーネント１の側面図を示す。該側面図では、２つの供給接続部の代わりに、下方の供給接続部４４および上方の供給接続部４５が、整列装置に設けられている。３つの挿入された構造コンポーネント１０，１１，３０は、同様に、後方のスペーサ４０１、挿入された構造コンポーネント１０，１１，３０によって後方に対し密閉される中間空間または空所４１，４２および上方のカバー４４０が認められる。該カバーによってしかも整列装置によって、上方の板ばねまたは上方の構造部材１０が、完全に覆われかつ保護される。
【００８４】
接着剤は、供給接続部４４を通って下方の空所４２へ、通路４９を通って上方の空所４１へ、および排出通路４５を通って押し出される。接着剤が上方にある排出通路４５から流出するや否や、供給接続部４４を通しての接着剤の供給は、停止する。構造部材１０，１１，３０は、接着剤が硬化されるまで、所望の割り当てに保持され、かつ待機される。それ故に、すべてのコンポーネント１０，１１，３０が永続的に互いに接続されている。  本発明の他の変形例は、整列装置４が下面の底部なしに形成されていてなる実施の形態を含む。整列装置４は、ここでは、上方および下方に載置された構造部材１０および案内要素３０のための支持面を有するフレームとして形成されている。フレームは、取り囲んでいて、閉じ込められた開口部を有する。該閉じた開口部は、板ばね１０，３０によって補足して完全なものにされ、空所を形成する。空所へは、接着剤５が挿入される。その目的は、上方の構造部材１０の下面および案内要素３０の上面を、互いに向かい合って接着剤５で湿らせ、かつ互いに整列装置４に接着するためである。２つの板ばね１０，３０は、各々の支持面へ押圧され、接着剤が硬化されるまで、押圧状態に保たれる。支持面への押し付けによって、形成された空所を密閉し、余分な接着剤５は、スペーサに設けられた排出通路を通ってのみ、好ましくは、整列装置を介して、流出する。それ故に、構成要素は、接着剤５によって汚されない。他の点では、構造は図８の構造に対応する。
本発明に係わる方法および本発明に係わる整形外科用コンポーネント１によって、２つの構造部材、特に２つの繊維強化プラスチックを、液状の接着剤で接着し、かつ該構造部材を同時に取り囲み、このことによって、保護被覆を準備することが可能である。整列装置は、結合されるべきコンポーネントに適合し、かつ、該コンポーネントの間にキャビティを形成する。該キャビティは、液状の接着剤のための収容空間を形成する。接着剤をキャビティまたは空所に注入し、同時に空所を排気するために、供給通路または排出通路の形態をとる比較的小さな開口部は、整列装置または成形体および被覆に統合されている。これらの供給接続部および排出通路には、供給チューブおよび排気チューブと接続することができるチューブコネクタを使用することができる。空所または空所が確実に密閉されていることを保証するために、構造部材を圧縮し、あるいは、収容装置４に対し押圧することができる。このことを、可撓性材料により行なうことができる。整列装置４の材料が、可撓性の弾性的な材料であることは好ましい。それ故に、圧力を、構造部材の方向に加えることによって、構造部材への密閉接触を保証することができる。プラスチックの注入および硬化の後に、チューブコネクタを、整列装置または成形体用ケーシングから除去し、結合処理を終了する。成形体は、今や、もはや接着剤のための境界として役立たず、構造部材のケーシングまたは被覆として使用される。その目的は、構造部材を損傷に対し保護するためであり、更に、他の構成部品、例えば、被覆または化粧物を、角が尖っていることもある互いに接続された構造部材による損傷に対し保護するためである。
【００８５】
本装置および本方法によって、液状の接着剤のための成形体を、２つの構造部材の結合のために提供することが可能である。結合されるコンポーネントの整列は、整列装置４によって保証されている。同様に、結合される構成部材は保護され、製造方法は、手際良くて、接着剤の再加工は不要である。接着剤の使用は、制限される、何故ならば、余分な接着剤が流出することができないからであり、各々の空所による所定の量が、供給されるべき接着剤の量の計算のための基礎として役立つことができるからである。かくして、量を制御しつつ接着剤を供給することによって、一方では、接着剤の最小量を使用し、他方では、空所を完全に充填するために十分な接着剤を常に提供することが保証されている。
以下に、本願出願の当初の特許請求の範囲に記載された発明を付記する。
［１］  義足足部であって、該義足足部を下腿チューブ、下腿シャフトまたは人工膝関節に取り付けるための近位の取付手段（２）を有する構造部材(１０)と、該構造部材(１０)に取り付けられたか、形成された前足部分(２０)と、前記構造部材（１０）に割り当てられておりかつ踵側にあるばね・ダンパ・システム（４０）とを具備し、該ばね・ダンパ・システムは、踵の接地の際に圧縮され、かつソール側の案内要素（３０）に支持されていてなる義足足部において、
前記構造部材（１０）は、近位の接続部分(２)から後方向に延びており、湾曲部を形成し、前方および遠位方向に延びており、前記湾曲部は、後方で、案内要素（３０）を越えていることを特徴とする義足足部。
［２］  前記湾曲部は、自然の踝の位置を越えて後方方向に突き出ていることを特徴とする［１］に記載の義足足部。
［３］  前記案内要素（３０）は、前記ばね・ダンパ・システム（４０）の下面に設けられており、板ばねとして、前記前足部分(２０)で、前記構造部材（１０）に堅固に取り付けられており、あるいは、前記義足足部の長手方向に対し横方向に向いている軸（５０）を中心として自由に移動可能に前記構造部材（１０）に取り付けられていることを特徴とする［１］または［２］に記載の義足足部。
［４］  前記案内要素（３０）は、板ばねとして形成されていることを特徴とする［３］に記載の義足足部。
［５］  前記ばね・ダンパ・システム（４０）は、発泡体要素またはエラストマ要素として形成されていることを特徴とする［１］ないし［４］のいずれか１項に記載の義足足部。
［６］  前記ばね・ダンパ・システム（４０）は、前記構造部材（１０）と、前記案内要素(３０)の上面との間に可逆的に設けられていることを特徴とする［５］に記載の義足足部。
［７］  前記案内要素(３０)の下面には、弾性材料からなるソール要素（６０）が設けられていることを特徴とする［１］ないし［６］のいずれか１項に記載の義足足部。
［８］  前記前足部分(２０)は、板ばねとして形成されており、あるいは、少なくとも１つの板ばねを有することを特徴とする［１］ないし［７］のいずれか１項に記載の義足足部。
［９］  前記案内要素(３０)と前記構造部材（１０）との間には、過負荷ストッパ（７０）が設けられていることを特徴とする［１］ないし［８］のいずれか１項に記載の義足足部。
［１０］  前記案内要素(３０)は、前後方向に延びている軸を中心としておよび／または近位遠位方向に延びている軸を中心として移動不能に取り付けられていることを特徴とする［１］ないし［９］のいずれか１項に記載の義足足部。
［１１］  前記案内要素(３０)の自由端には、踵（３５）が近位方向に設けられており、あるいは凸状の湾曲部として形成されていることを特徴とする［１］ないし［１０］のいずれか１項に記載の義足足部。
［１２］  前記構造部材（１０）は、弾性的におよび一体的に形成されていることを特徴とする［１］ないし［１１］のいずれか１項に記載の義足足部。
［１３］  前記案内要素(３０)の後端および前記構造部材（１０）の下面には、前記ばね・ダンパ・システム（４０）を取り付けるための各々の形状結合要素（５，６）が取り付けられていることを特徴とする［１］ないし［１２］のいずれか１項に記載の義足足部。
［１４］  前記湾曲部は、前後方向で、足長ＦＬの１０％と３０％の間、好ましくは１２．５％と２５％の間である区間だけ、前記ばね・ダンパ・システム（４０）を越えていることを特徴とする［１］ないし［１３］のいずれか１項に記載の義足足部。
［１５］  前記構造部材（１０）の上面では、前記前足部分(２０)に、輪郭部を形成するパッド（９０）が設けられていることを特徴とする［１］ないし［１４］のいずれか１項に記載の義足足部。
［１６］  前記近位の取付手段（２）から、前記構造部材（１０）が前記湾曲部において凹状に湾曲されており、前記ばね・ダンパ・システムの支持の領域で、前記湾曲部と比較してより大きな曲率半径を有する凸状の湾曲部と、該湾曲部に続いて、前記前足部分（２０）において、同様に凹状の湾曲部とを有することを特徴とする［１］ないし［１５］のいずれか１項に記載の義足足部。
［１７］  前記案内要素(３０)は、踵からつま先まで凹状、凸状、凹状に延びている形状を有する板ばねとして形成されていることを特徴とする［１］ないし［１６］のいずれか１項に記載の義足足部。
［１８］  前記前足部分(２０)および前記案内要素(３０)は、整列装置（４）を介して、互いに関連して設けられていることを特徴とする［１］ないし［１７］のいずれか１項に記載の義足足部。
［１９］  前記前足部分(２０)と、前記案内要素(３０)と、前記整列装置（４）とは、互いに貼着されていることを特徴とする［１８］に記載の義足足部。
［２０］  前記義足足部は、靴の中に設けるために形成されていることを特徴とする［１］ないし［１９］のいずれか１項に記載の義足足部。
［２１］  前記案内要素(３０)は、フィルムヒンジを有することを特徴とする［１］ないし［２０］のいずれか１項に記載の義足足部。
【図１】
0006707459.tif 000002
【図２】
0006707459.tif 000003
【図３】
0006707459.tif 000004
【図４】
0006707459.tif 000005
【図５】
0006707459.tif 000006
【図６】
0006707459.tif 000007
【図７】
0006707459.tif 000008
【図８】
0006707459.tif 000009
【図９】
0006707459.tif 000010
【図１０】
0006707459.tif 000011
【図１１】
0006707459.tif 000012
【図１２】
0006707459.tif 000013
【図１３】
0006707459.tif 000014
【図１４】
0006707459.tif 000015
【図１５】
0006707459.tif 000016
【図１６】
0006707459.tif 000017
【図１７】
0006707459.tif 000018
【図１８】
0006707459.tif 000019